(57)【特許請求の範囲】
【請求項１】
通信システムの受信機ユニットにおける少なくとも１つの信号入力により、前記通信システムの送信機からの信号を受信する方法であって、
前記受信された信号をベースバンドの信号へと変換し、前記ベースバンドの信号をデジタル信号のサンプルへと変換することによって、前記受信された信号を処理するステップと、
前記少なくとも１つの信号入力について、ダイナミックレンジを減少させるべく、共通かつ一定の電力レベル有する信号へと前記デジタル信号サンプルを変換するステップと、
前記変換された信号サンプルをビット数の削減された信号へと量子化するステップと、
前記変換され量子化された信号サンプルを復調器へと転送するステップと、
を含み、
前記転送するステップには、
前記信号サンプルの電力推定値からスケーリング・ファクタを決定するステップと、
電力推定値の個別の間隔に従って前記スケーリング・ファクタを、２の累乗の和として表現可能な値となるように量子化するステップと、
前記和の項を指数として表現されるシフト値を決定するステップと、
前記シフト値にしたがって前記信号サンプルを左シフトし、シフトされた部分を加算することによってスケール化するステップと、
が含まれていることを特徴とする方法。
【請求項２】
１つの信号サンプルあたり１つのスケーリング・ファクタを決定することを特徴とする請求項１に記載の方法。
【請求項３】
前記スケール化の品質に関する付加情報を直接的に前記復調器（１１）に供給することを特徴とする請求項１または２に記載の方法。
【請求項４】
前記個別の電力間隔の境界における電力推定値に対して前記量子化された複数のスケーリング・ファクタを重なるように割り当てることで、前記個別の電力間隔の境界における電力推定値を増加又は減少させることを特徴とする請求項１ないし３の何れか１項に記載の方法。
【請求項５】
前記信号サンプルから算出された平均推定値を減算することにより、前記デジタル信号サンプルの受信されたシーケンスを平均値が０となるように調整することを特徴とする請求項１乃至請求項４の何れか１項に記載の方法。
【請求項６】
デジタル部における前記受信信号の信号サンプルの電力推定値に応じ、前記受信機のアナログ部における受信信号を減衰させることを特徴とする請求項１乃至請求項５の何れか１項に記載の方法。
【請求項７】
通信システムの送信機からの信号を受信する少なくとも１つの信号入力を備えた受信機ユニットであって、
前記受信された信号をベースバンドの信号へと変換し、前記ベースバンドの信号をデジタル信号のサンプルへと変換することによって、前記受信された信号を処理する処理手段と、
前記少なくとも１つの信号入力について、ダイナミックレンジを減少させるべく、共通かつ一定の電力レベル有する信号へと前記デジタル信号サンプルを変換する変換手段と、
前記変換された信号サンプルをビット数の削減された信号へと量子化する量子化手段と、
前記変換され量子化された信号サンプルを復調器へと転送する転送手段と、
を含み、
さらに、前記転送手段には、
前記信号サンプルの電力推定値からスケーリング・ファクタを決定する手段と、
電力推定値の個別の間隔に従って前記スケーリング・ファクタを、２の累乗の和として表現可能な値となるように量子化する手段と、
前記和の項を指数として表現されるシフト値を決定する手段と、
前記シフト値にしたがって前記信号サンプルを左シフトし、シフトされた部分を加算することによってスケール化する手段と、
が含まれていることを特徴とする受信機ユニット。
【請求項８】
複数の送信機と受信機ユニットとを含む通信システムであって、
少なくとも１つの受信機ユニットが、請求項７に記載された受信機ユニットであることを特徴とする通信システム。
【請求項９】
前記少なくとも１つの受信機ユニットは、無線基地局の一部であることを特徴とする請求項８に記載の通信システム。
【発明の詳細な説明】
【０００１】
［発明の分野］
本願発明は、一般に、通信システムに関し、とりわけ、受信信号を自動利得制御するための手段を含む受信機ユニット、好ましくは、符号分割多重接続（ＣＤＭＡ）通信システムにおいて使用される受信機ユニットに関する。
【０００２】
［発明の背景］
符号分割多重接続（ＣＤＭＡ）を基礎とする通信システムにおいては、複数の基地局が所定の地理的領域をカバーし、基地局は、そのような領域に位置するユーザへの又はユーザからの通信サービスを提供している。ＣＤＭＡシステムにおける特徴は、基地局とユーザ機器間の上り回線チャネルと下り回線チャンネルに、例えば、疑似雑音符号のような特有かつ固有のコードシーケンスを割り当てることによって、共通の通信媒体が異なるユーザによりシェアされることである。これらのコードシーケンスは、信号を広帯域のスペクトル拡散信号に変換するため、送信機により使用される。例えば、基地局またはユーザ機器などの受信機ユニット内において、復調器は、特定の送信機から送信された前述の広帯域信号を元の帯域へと再変換する。再変換の際には、送信機で使用されたコードシーケンスと同一のものが使用される。その一方で、異なるコードにより符号化された信号は、広帯域の信号のままである。それゆえ、異なるコードにより符号化された信号は、受信機により外部の背景雑音の一部として解釈されることになる。
【０００３】
しかし、物理的な無線通信チャンネルについては、信号はすなわち、距離による減衰と、無線パス上の障害物による例えばマルチパス減衰やシャドーイングなどの伝播効果の影響を受ける。従って、通信媒体は、種々の伝播パスによる種々の遅延時間及び減衰指数を有するマルチパスチャンネルとしてモデル化される必要がある。
【０００４】
さらに、ＣＤＭＡにおいて使用される多元接続技術に特有の他の側面は、潜在的に、すべてのユーザが同時かつ同一の帯域を使用して広帯域信号を送信するという事実と関連する。この事実と上述の伝播効果によって、基地局は、受信信号電力に依存して最高で８０ｄＢもの大きなダイナミックレンジ内で種々のユーザから広帯域信号を受信することになる。さらに、単一のユーザから送信され受信された信号電力は、送信中に、電力が変更されるかもしれず、また、受信アンテナによって変動することがあるため、個々のユーザからの送信は、拡大されたダイナミックレンジに従うことになる。それゆえ、例えば基地局などのサービスエリア内に存在するすべてのユーザからの信号を受信するためには、基地局が、ユーザあたりの受信された上り回線送信電力のトータルだけでなく、すべてのユーザから受信された上り回線送信電力のトータルを監視し、制御する手段を提供することが必要である。これらは、信号の伝播効果に依存することなく、仮想的に同一の平均電力でもって基地局に到達するように監視され制御される。また、トータルの干渉レベルもシステムキャパシティを低下させるほど高くならないように監視され、制御される。これらは、各基地局アンテナにおけるトータルの受信電力を推定し、推定値を用いて、各基地局に向けられた送信ユーザ機器の出力電力を調節することによって達成される。
【０００５】
他の点では、受信機のアナログ部分における自動利得制御器（ＡＧＣ）ユニットに応用することで、大きなダイナミックレンジで信号を処理することができる。特開平８−３３５９２８号によれば、例えば、ＣＤＭＡ方式の移動体通信システムの受信機が示されており、すなわち、アナログのベースバンド信号の最大振幅に従って利得をコントロールし、一定の出力信号（Ｓ３０）を出力するＡＧＣユニット（３０）が含まれている。
【０００６】
［発明の要約］
本願発明の第１の目的は、好ましくは、ＣＤＭＡベースの通信システムであって、受信機ユニットの復調器部分の信号処理を簡素化し、改善することのできる回路と方法を達成することである。
【０００７】
本願発明の別の目的は、信号により搬送される如何なる情報をも消失することなく、サンプルのコード化のために使用されているビットの数を削減する手段によって、デジタル信号サンプルのシーケンスについての前記処理を簡潔にし、かつ、改善することである。
【０００８】
本願発明の別の目的は、さらに、復調のために信頼性のある信号が使用されるようにすべく、例えば、基地局アンテナなど、いくつかの信号入力から受信された基本的に同一の信号を前記復調器が用いることを可能ならしめることである。
【０００９】
本願発明の別の目的は、さらに、それほど外部の雑音干渉に敏感ではなく、最小のハードウェアを必要とする改善されたデジタル自動利得制御器（ＡＧＣ）ユニットを達成することである。
【００１０】
本願発明のこれら及び他の目的は、デジタルＡＧＣユニットおよびそれに続く量子化ユニットを少なくとも含み、信号入力経路のうちの少なくとも１つの復調器の前に配置されたき信号処理手段によって達成される。デジタルＡＧＣユニットは、信号サンプルのシーケンスを共通（コモン）で一定の電力レベルにスケール化する。そして、量子化ユニットは、減らされた数のビットを使用するサンプルへと、スケール化された信号サンプルを変換することができる。ＡＧＣを効率的に使用するためには、制御誤りが決定され、復調器入力における信号品質を維持するために決定された制御誤りが使用される。
【００１１】
本願発明は、様々なアンテナから入力された信号は長区間のダイナミックレンジを有していることがあり、すなわち、受信特性の変動に伴い信号電力に大きな差を生ずることがあるが、通常は、ずっと小さな短区間のダイナミックレンジを有している。とりわけ、ＣＤＭＡベースの通信システムではそうである。これは、対応するデジタル入力信号が大きなダイナミックレンジを表現できるようにすべく多くの冗長ビットを伴うサンプルとしてコード化されなければならないことを暗に示している。短区間のダイナミックレンジだけを表している共通の電力レベルに入力信号を変換することによってコード化ビットの数は削減することが可能である。
【００１２】
従って、本願発明の第１の利点は、復調器に転送される信号サンプルを表すのに必要なビットの数を削減する方法及び装置を含むことである。
【００１３】
従って、本願発明の他の利点は、送信機ユニットにおいて必要とされる送信帯域幅、すなわち、１秒あたりの送信ビット数を削減することである。
【００１４】
従って、本願発明のさらに他の利点は、後段の復調器における前記信号サンプルの処理が、かなり簡潔にされることであり、これは、電力消費量とチップの実装領域を削減できることを暗に示している。
【００１５】
さらに、本願発明の他の有利な点は、外部の干渉雑音に対してそれほど敏感ではないように改善されたデジタルのＡＧＣユニットを提供できることである。ＣＤＭＡベースの通信システムにおいて、このＡＧＣユニットは、受信信号についての既存の電力推定手段を再利用することによって実装することもできる。
【００１６】
さらに、本願発明の他の有利な点は、復調器が、瞬間的に最も良い信号を受信するアンテナへと高速な方法でもって切り替えることができることであり、例えば、ソフター・ハンドオーバの場合に有効である。
【００１７】
本願発明の他の目的、利点、および斬新な機能は、添付の図面及び請求項を関連付けて以下の詳細な説明を考慮することにより明白になろう。
【００１８】
［詳細な説明］
図１は、一般に、基地局、例えばＣＤＭＡベースの通信システムにおける基地局を示しており、特に受信信号をその復調器１１へと転送する基地局受信機１０の部分を示している。基地局は、通常、多くのセクタに分割されており、１つのセクタあたり最低１つのアンテナを装備しているが、好ましくはダイバーシチ効果を使用して信号の受信品質を改善するために２つのアンテナを装備しており、そのセル内のユーザ機器に通信サービスを提供する。
【００１９】
前記セクタの１つの中に位置するユーザ機器からの送信は、主に、特定セクタに向けられたアンテナによって受信されるが、隣接セクタのアンテナによっても受信される。従って、基地局は、ユーザ機器から送信された信号の様々な受信コピーを使用することができる。例えば、ソフター・ハンドオーバについての重要な前提条件は、すなわち、他のセクタアンテナからよりよい品質の受信信号を検出すると、基地局は、当該他のセクタアンテナへと受信を切り替えることである。各受信信号の信号品質はかなり違っており、様々な電力レベルでもって受信される。これは、実際の無線チャンネルが様々な伝播特性や減衰特性などに影響されるからである。そのため、大きなダイナミックレンジにより様々な電力レベルがカバーされる。さらに、前記の違いはアンテナの適切な範囲外からの信号が受信されるという事実にも由来するかもしれない。従って、本願発明は、様々な受信信号コピーの中からオリジナルのユーザ情報を復調するために使用可能な最適化された信号を抽出して、基地局受信機１０、特に、前記受信機１０の復調器の部分１１に使用させることを意図している。
【００２０】
従って、基地局受信機部１０は、各アンテナごとに、復調器１１に転送される上り回線信号のための個別の入力経路を備えている。まず、受信された高周波信号は、増幅及びフィルタ手段１２によって前処理され、中間周波数（ＩＦ）１３にダウンコンバートされ、アナログ−デジタル変換器１４とそれに続くローパスフィルタ１５によって１６ビットの信号サンプルシーケンスとして表現される。本願発明によれば、信号処理手段１６を使用することによって、デジタル化された入力信号は、十分に高い目標電力レベルに変換される。この目標電力レベルは、各信号入力経路１７について共通であるため、上述したように復調器１１に適用可能となる。各信号入力経路について、信号処理手段１６は、入力シーケンスをスケール化するためのデジタルＡＧＣユニット１６１と、前記信号サンプルをコード化するために必要となるビットの数を削減する量子化ユニット１６２とを少なくとも備えている。オプションで、適応化ユニットは従来のアナログＡＧＣユニット１６３を含んでもよく、例えば、アナログ信号の先行する信号減衰ユニットとして適用されてもよい。
【００２１】
図２は、本願発明における信号処理手段１６の異なる部分の詳細と、本願発明の好ましい実施形態に従って前記部分がどのように協調して動作するかを示している。前記信号処理手段は、多数のブロックに分割することができる。主要ブロックはスケーリングブロック２１であり、電力推定ユニット２２からの信号の電力推定値に基づいて入力信号をスケール化する。量子化ブロック２３は、スケール化された出力信号を転送する。さらに、信号適応化ユニットは、オフセット補償手段２４を含んでおり、オプションで従来のアナログＡＧＣユニット２５を含む。
【００２２】
前記信号処理手段の中央部には、スケーリングブロック２１を備えている。スケーリングブロック２１は、受信された入力信号X[n]についての推定電力値からスケーリング・ファクタを決定する決定手段２１１と、後段へと同一の情報を搬送する出力信号Y[n]へと前記入力信号X[n]をスケール化するスケール化手段２１２とを含んでいる。デジタル信号のシーケンスXk[n]である前記入力信号に関して（ここでkは、時間間隔のインデックスを示す。）、スケーリングは、これらの信号サンプルの各々が、適切に決定されたスケーリング・ファクタαkでもって乗算されることにより、共通（コモン）の目標電力レベルσ2refへと調整されることを意味し、すなわち、Yk[n]=αk・Xk[n]となる。従って、スケーリングブロック２１は、入力信号のサンプルの平均電力レベルの変動を補償する一方で、何らのユーザ情報をも含んでおらず、単に無線チャネルの強度のみを表しているような信号の長区間のダイナミックレンジを削減する。これは、入力信号X[n]の短期のダイナミックレンジに対応するトータルダイナミックレンジを有するスケール化された出力信号Y[n]を生成することになる。短期のダイナミックレンジは、一般に、長区間のダイナミックレンジよりもずっと小さい。
【００２３】
従って、前記の信号サンプルのコード化においては、もはや、顕著に相違する信号電力レベルによって発生する冗長を表現する必要はない。その代わりに、量子化ユニット２３は、１サンプルあたりの符号化ビットの数を、短期のダイナミックレンジ内の信号変化を表すのに十分な数に削減することができる。
【００２４】
入力信号サンプルXk[n]のシーケンスが、近似的に一定の分散σ2kを有していると仮定すれば、ｋ番目の時間間隔にわたって一定の値であるスケーリング・ファクタを乗算することによってスケーリングは実行される。ここで、スケーリング・ファクタは次のように定義される。
【００２５】
αk=√（σ2ref/σ2k）
入力信号Xk[n]についてスケーリング・ファクタαkを計算するには、分散σ2kを計算している間のすべての時間間隔にわたって、入力データストリームをバッファに蓄積しておく必要がある。しかしながら、もし平均的な受信信号レベルにおいて顕著な変動の確率、すなわち、２つの連続的なフレーム間における分散が小さい仮定できるのであれば、先行フレームから得られる分散の推定値を使用することによってYk[n]を計算により求めるｋとができるため、上述のバッファへの蓄積は不要となる。それゆえ、本願発明の好ましい実施形態に係る方法においては、スケール化された出力信号Yk[n]を導出するために以下の式を使用することができる。
【００２６】
Yk[n]=αk-1・Xk[n]
上記方程式において、スケーリング関数は乗算の形式で表現されていた。ＡＧＣにおけるスケーリングではサンプル値を基礎として演算する。そのため、実際のスケーリングを実行する乗算器において困難な要求が生ずるであろう。しかしながら、もしスケーリング・ファクタを２の「べき（累乗）」として表現可能な値へと量子化できるのであれば、これらの要求は大幅に緩和できるであろう。このケースにおいて、スケーリング・ファクタαkは、シフトファクタβkに置換することができる。
【００２７】
αk=2βk  ＜=＞  βk=log2αk
スケーリングは、シフトファクタβkに従って信号のサンプル値を左シフトすることにより実行できる。量子化に伴うスケーリング・ファクタαkに関する多数のステップを回避するためには、前記のファクタを２の「べき（累乗）」として表現できる値へと量子化すればよい。このケースにおいて、スケーリング・ファクタαkは、シフト値のセット｛βk,i｝として表現され、これらは和の項の指数から成る。前記のセットにおいてシフトファクタのそれぞれによって示される位置の番号に従って、信号サンプルを左シフトさせ、さらに、これらのシフトされた部分を加算することによって、スケーリングは実行される。
【００２８】
上述したようなスケーリングブロックでは、入力信号X[n]の平均値が０であると仮定している。スケーリング演算が乗算によって実行されるので、この仮定が必要となる。しかしながら、現実においては、非常に大きな時定数を伴う時変処理とみなすことのできるバイアスを、無線受信機のハードウェアが入力信号に導いてしまうかもしれない。この偏差は、オフセット補償ブロック２４を導入することによって除去される。このブロックには、信号の平均値を推定する推定手段２４１が含まれている。推定手段は、大きな時定数を有する１タップのローパスフィルタを使用する。推定された平均値を入力信号から減算することによって、信号オフセットが除去される。
【００２９】
オプションで、受信信号全体のダイナミックレンジを減少させるために、アナログＡＧＣユニット２５を導入してもよい。前記ユニットは、電力推定ユニット２２からの電力推定値によって制御される減衰器として設計される。制御装置２５１は、信号の推定電力レベルに応じて、あるレベルの減衰を実行させる。前記のアナログＡＧＣユニットは、ある減衰を実行する動作状態と、小さな減衰を実行する非動作状態とを含むステップ減衰器として少なくとも設計されるべきである。制御装置２５１は、信号の電力レベルが一定のしきい値レベルを越えていれば前記の減衰動作を作動させ、信号レベルがしきい値より下へと低下するのであれば前記の非動作状態を作動させる。例えば、前記の減衰器によって、非常に大きなダイナミックレンジを必要とするような信信号は減衰されるため、例えば、後段のアナログ−デジタル変換器における好ましくないクリッピングの発生を回避することができる。
【００３０】
上で説明したように、各信号サンプルごとのスケーリング・ファクタは、入力信号サンプルXk[n]の分散σ2kの推定値を使用して定義される。スケーリング・ファクタは、電力推定ブロック２２により導出された信号の電力推定値を使用することで計算により求められる。しかしながら、この演算を実行するために必要となるハードウェアが複雑となる。この複雑さ回避するためには、前記の推定分散σ^2kに代えて、不正規化分散Pkを求めればよい。すなわち、Pk=2Nσ^2kとなる。従って、電力推定ブロック２２には、電力推定値を求めるための推定手段２２１と、鋭敏な変動を回避するためのフィルタ手段２２２、すなわち、１タップローパスフィルタとが含まれる。電力を計算により求めるには、ハードウェアが複雑となるが、すでに実装されている機能ブロックを再利用して電力を推定することで、さらに複雑さを低減できる。ＣＤＭＡベースの通信システムにおいては、セクタ間の干渉と基地局間の干渉のトータルを最小化することが重要であり、各セクタごとのアンテナにおけるトータルの受信電力を推定する手段と、この推定値によって、セクタ内の移動体の出力電力を制御して最小化する手段とが提供される。良好なシステム・パフォーマンスを得るために必要となる前記手段は、また、本願発明に係る回路構成と方法と結合することができ、この場合は前記推定手段２２１と置換されることになる。
【００３１】
図３ａおよび３ｂは、ある信号サンプルXk[n]についての算出された分散レベルPkに対する、適切なスケーリング・ファクタαkを割り当てるための関数を対数でもって例示的に表現したものである。前記関数は、前記の手段２１１に適用される。これにより、推定された分散レベルPkの一定間隔に従った離散的なスケーリング・ファクタが決定され、スケーリング・ファクタが割り当てられる。図３ａに示されるグラフは、一定間隔内において算出された分散値に基づく、スケーリング・ファクタの第１の割り当て方法を表している。共通の目標信号電力レベルが受信信号の電力レベルより高く選定されるとすれば、前記受信電力レベルがより低くなるにつれ、スケーリング・ファクタはより高く選定されなければならないことは明らかであろう。
【００３２】
電力推定値は雑音に敏感なので、割り当てられたスケーリング・ファクタは、２つの隣接した電力間隔の境界において２つの値の間を頻繁に変動するおそれがあり、従って、スケール化された信号において好ましくない振動が引きおこされてしまう。従って、別の好ましい解決手段によれば、図３ｂに例示するように、スケーリング・ファクタの割り当てには、電力間隔間の境界において振動しているスケーリング・ファクタの割り当てを防止するために、リレー制御を含めてもよい。スケーリング・ファクタを変更するための電力のジャンプ値は、電力値が通常のジャンプ値、すなわち、２つの隣接した電力間隔の境界にどちらの側から近づくかに依存して変わる。電力値を減少させるためには、ジャンプ値を通常のジャンプ値よりもわずかに低くし、一方で、電力値を増大させるためには、ジャンプ値を通常のジャンプ値よりもわずかに高くすればよい。従って、境界付近の狭い電力間隔範囲内において、スケーリング・ファクタの変更は、遅延され、２つのスケーリング・ファクタ間の振動を防止することができる。電力変動に対する不応答は、前記の狭い電力間隔の幅に依存する。
【００３３】
図４は、本願発明に係る方法の主要なステップを例示したフローチャートを示しており、ブロック４１において入力された入力信号シーケンスXk[n]を共通かつ一定の目標分散レベルσ2refへと変換することを示している。第１のステップであるブロック４２において、必要なら、受信された信号を、平均値が０となるように調整される。この調整は、乗算によるスケーリング処理を実行可能とするものである。次にブロック４３において、個々の信号サンプルXk[n]に関し、電力推定値Pkが算出され、ブロック４４において、算出された電力推定値Pkに依存してスケーリング・ファクタαkと目標電力レベルσ2refを決定する。そして、ブロック４５において、受信信号のサンプルXk[n]のそれぞれは、前記の目標電力レベルにおいて信号Yk[n]=αk-1・Xk[n]へとスケール化され、ブロック４６において、復調器に転送される。オプションのステップであるブロック４７において、もし前記電力推定がしきい値を越えているならば、ＡＧＣユニットの推定電力レベルPkは、アナログ受信信号を減衰させるために適用できるであろう。
【００３４】
上述されたことから、スケール化された信号が信号エラーによって損失を受けることは明らかである。このエラーは、第一に、スケーリング・ファクタが共通の時間間隔で持ってのみ更新されることからくる事実と、第２に、スケーリング・ファクタが信号の電力推定値の別個の間隔について量子化されていること、好ましくは２の「べき（累乗）」の和として表現される値へと量子化されることからくる事実とに由来する。これは、例えば復調器などの後段のユニットは、信号サンプルが共通の分散レベルにスケール化されると仮定している。そのため、共通の分散レベルからかなり大きく偏差した信号を受信し、処理することになる。第１の解決策として、スケーリング・ファクタをより高速に更新することである。これは後段の復調器の複雑さを増大させてしまうことになる。しかしながら、本願発明の代わりの好ましい実施形態によれば、図２に係るデジタルＡＧＣユニットのスケーリングブロック２１は、スケーリングおよび量子化の品質に関する付加情報２６を生成し、この付加情報は、スケーリング・ファクタより速く更新され、スケール化されたサンプル値とともに復調器１１へと転送される。この付加情報２６は、一般に、スケーリング・ファクタの量子化に由来する、ＡＧＣアルゴリズムの制御エラーである。前記の付加情報を使用することで、例えば、ソフター・ハンドオーバを実行する際などにおいて、復調器は、瞬間的に最良の入力信号を受信しているアンテナへと容易かつ高速に切り替えることができる。
【図面の簡単な説明】
よりよい理解のために、本願発明の好ましい実施形態と以下の図面によってリファレンスが形成される。
【図１】  図１は、基地局受信機の概要、特に、基地局復調器への上り回線信号パス入力を示した図である。
【図２】  図２は、本願発明の好ましい実施形態に係る信号入力経路の１つのための信号処理手段をより詳細に示した図である。
【図３ａ】
【図３ｂ】  図３ａおよび３ｂは、信号サンプルに係る電力の推定値と、ある目標電力レベルに信号サンプルを変換するために必要となるスケーリング・ファクタとの関係を強調させる２つの割り当て機能の例を示した図である。
【図４】  図４は、本願発明の好ましい実施形態に係る方法の主要なステップを例示するフローチャートである。
【図１】
0004488332.tif 000002
【図２】
0004488332.tif 000003
【図３ａ】
0004488332.tif 000004
【図３ｂ】
0004488332.tif 000005
【図４】
0004488332.tif 000006